(57)【要約】【課題】  光ディスクのラベルの記録品質が外周と内周とで異なることを改善するために、サーマルヘッドの発熱体の形状、発熱体とラベルの距離、発熱体とラベルの押圧、及び発熱体とラベルの接触面積を外周と内周とで変えることにより、汎用的なサーマルヘッドの使用を可能として装置のコストを低減したラベル印刷機能を備えた光ディスク装置を提供する。【解決手段】  この光ディスク装置１００は、サーマルヘッド３を光ディスク４にセットしたり、離脱させたりする機構部を駆動するサーマルヘッド駆動部１と、サーマルヘッド３に電流を流して発熱体を加熱するサーマルヘッド制御部２と、光ディスク４に貼付されたラベルに情報を記録するサーマルヘッド（記録手段）３と、表面に記録用のラベルを貼付した光ディスク４と、サーマルヘッド３と光ディスク４を所定の接触圧で保持する押えローラ５と、光ディスク４を回転するスピンドルモータ（回転手段）６と、スピンドルモータ６の回転を制御する回転制御系７と、光ディスク４の情報を読み書きするピックアップ８と、を備えて構成される。【選択図】  図１
2005267683.tif 000002
【特許請求の範囲】
【請求項１】
光ディスクのラベルに所定の情報を記録するラベル印刷機能を備えた光ディスク装置であって、
前記光ディスクを所定の回転速度で回転させる回転手段と、前記光ディスクのラベルに情報を記録する記録手段と、該記録手段と前記光ディスクを所定の接触圧で保持する押えローラと、を備え、
前記記録手段は複数の発熱体を直線状に配列したサーマルヘッドであり、前記各発熱体の一方の寸法が前記光ディスクの外周から内周に向かって段階的に短くなるようにしたことを特徴とする光ディスク装置。
【請求項２】
光ディスクのラベルに所定の情報を記録するラベル印刷機能を備えた光ディスク装置であって、
前記光ディスクを所定の回転速度で回転させる回転手段と、前記光ディスクのラベルに情報を記録する記録手段と、該記録手段と前記光ディスクを所定の接触圧で保持する押えローラと、を備え、
前記記録手段は複数の発熱体を直線状に配列するサーマルヘッドであり、記録時に同時駆動する発熱体の数が前記光ディスクの外周から内周に向かって段階的に少なくなるようにしたことを特徴とする光ディスク装置。
【請求項３】
光ディスクのラベルに所定の情報を記録するラベル印刷機能を備えた光ディスク装置であって、
前記光ディスクを所定の回転速度で回転させる回転手段と、前記光ディスクのラベルに情報を記録する記録手段と、該記録手段と前記光ディスクを所定の接触圧で保持する押えローラと、を備え、
前記記録手段は複数の発熱体を直線状に配列するサーマルヘッドであり、該サーマルヘッドと前記光ディスクとの間隔が前記光ディスクの外周から内周に向かって大きくなるようにしたことを特徴とする光ディスク装置。
【請求項４】
光ディスクのラベルに所定の情報を記録するラベル印刷機能を備えた光ディスク装置であって、
前記光ディスクを所定の回転速度で回転させる回転手段と、前記光ディスクのラベルに情報を記録する記録手段と、該記録手段と前記光ディスクを所定の接触圧で保持する押えローラと、を備え、
前記記録手段は、複数の発熱体を直線状に配列するサーマルヘッドであり、該サーマルヘッドと前記光ディスクとの押圧力が前記光ディスクの外周から内周に向かって低くなるようにしたことを特徴とする光ディスク装置。
【請求項５】
光ディスクのラベルに所定の情報を記録するラベル印刷機能を備えた光ディスク装置であって、
前記光ディスクを所定の回転速度で回転させる回転手段と、前記光ディスクのラベルに情報を記録する記録手段と、該記録手段と前記光ディスクを所定の接触圧で保持する押えローラと、を備え、
前記記録手段は、複数の発熱体を直線状に配列するサーマルヘッドであり、前記各発熱体と前記光ディスクとの接触面積が前記光ディスクの外周から内周に向かって段階的に小さくなるようにしたことを特徴とする光ディスク装置。
【請求項６】
前記ラベルは、該ラベルに加えられた熱によって前記ラベルの透明度や色調が可逆的に変化し、常温で前記透明度又は色調が少なくとも２種類以上の形態で保持される熱可逆性材料から構成されることを特徴とする請求項１乃至５の何れか一項に記載の光ディスク装置。
【請求項７】
前記記録手段は、前記ラベルを半透明状態に移行させるための第１の温度を発熱する記録部と、前記ラベルを透明状態に移行させるための第２の温度を発熱する消去部とを備えたことを特徴とする請求項１乃至５の何れか一項に記載の光ディスク装置。
【発明の詳細な説明】
【技術分野】
【０００１】
本発明は、ラベル印刷機能を備えた光ディスク装置に関し、さらに詳しくは、光ディスク装置にサーマルヘッドを備え、光ディスクに貼付されたラベルへの記録品質を外周と内周で均一にする記録技術に関するものである。
【背景技術】
【０００２】
近年、ディスク状のメディアにピットや磁気によるデジタル情報を記録した各種のディスク状メディアが普及している。これらは一般的に、光ディスクと総称されている。このような光ディスクの種類として、音楽用ＣＤやＣＤ−ＲＯＭ、あるいはＤＶＤのような情報が予め記録されているものの他、一度だけ書き込みが可能な追記型光ディスク、複数回書き換えが可能な書換型光ディスクがあり、これらは急速に普及している。
一方、予め情報が記録されている光ディスクには、その記録内容を表示したりデザイン性を高めたりする目的でラベルが表面に貼付されているのが一般的である。例えば、音楽ＣＤにはそのラベル面にタイトルや曲名が所定の絵柄と共に印刷され、ＣＤ−ＲＯＭにはその記録内容が所定の絵柄と共に印刷されている。これに対し、追記型光ディスクや書換型光ディスクでは、ユーザ自らが所望の情報を書き込むという使い方がなされるので、予め所定事項を印刷したラベルを貼付するわけにはいかない。このため、このような種類の光ディスクでは、それを収納するケースに記録内容を書き込めるようにしてあるのが一般的である。しかしながら、追記型や書換型の光ディスクにも、予め情報が印刷されている音楽ＣＤ等に貼付されているようなラベルを設け、このラベルにユーザが必要事項を書き込むことができれば便利である。このようなことから、追記型光ディスクに貼付されたラベルに必要事項を印刷できるようにした印刷装置が商品化されている。
図８は従来技術のサーマルヘッドの発熱体の形状を示す図である。この図では外周側の発熱体ａから内周側の発熱体ｆに行くにつれて、円周方向に対する発熱体寸法（寸法Ｃ）を小さくしている。その結果、外周側寸法Ｃ＞内周側寸法Ｂとなる。また半径方向の寸法Ａは内外周とも変わらず一定としている。
また、特開平１１−２８３３５６号公報には、光ディスクのラベル面に何度でも所定の可視情報を書き換え記録する技術について開示されており、特に熱可逆性記録媒体を使用した技術について開示されている。
また特開２０００−１２７４７３公報には、ディスクを回転しながら印刷する場合にディスクの円周方向の内周と外周の印刷品質の改善のために、円周方向の発熱体寸法を外周側から内周側に行くにつれて小さくなるように変化させて印刷品質を改善する技術について開示されている。
【特許文献１】特開平１１−２８３３５６号公報
【特許文献２】特開２０００−１２７４７３公報
【発明の開示】
【発明が解決しようとする課題】
【０００３】
しかしながら、従来の既に商品化されている印刷装置の場合、ユーザはその印刷装置を別途購入し設置して使用しなければならないといった問題がある。
また図８の従来のサーマルヘッド形状の場合、半径方向の発熱体の寸法が一定のため、隣接する発熱体による熱の影響を受けやすく制御が難しくなるといった問題がある。
また特許文献１に開示されている従来技術は、ラベルへの記録手段についての発明であり、記録品質の改善に関する言及はなされていない。
また特許文献２に開示されている従来技術は、円周方向の発熱体寸法を外周側から内周側に行くにつれて小さくなるように変化させて印刷品質の改善を行うものであり、発熱体寸法を特殊な形状にする必要があり、汎用的な発熱体を使用できないため、発熱体のコストが高くなるといった問題がある。
本発明は、かかる課題に鑑み、光ディスクのラベルの記録品質が外周と内周とで異なることを改善するために、サーマルヘッドの発熱体の形状、発熱体とラベルの距離、発熱体とラベルの押圧、及び発熱体とラベルの接触面積を外周と内周とで変えることにより、汎用的なサーマルヘッドの使用を可能として装置のコストを低減したラベル印刷機能を備えた光ディスク装置を提供することを目的とする。
また他の目的は、ラベルを熱可逆性材料とすることにより、ラベルの再使用を可能とすることである。
【課題を解決するための手段】
【０００４】
本発明はかかる課題を解決するために、請求項１は、光ディスクのラベルに所定の情報を記録するラベル印刷機能を備えた光ディスク装置であって、前記光ディスクを所定の回転速度で回転させる回転手段と、前記光ディスクのラベルに情報を記録する記録手段と、該記録手段と前記光ディスクを所定の接触圧で保持する押えローラと、を備え、前記記録手段は複数の発熱体を直線状に配列したサーマルヘッドであり、前記各発熱体の一方の寸法が前記光ディスクの外周から内周に向かって段階的に短くなるようにしたことを特徴とする。
光ディスクの外周と内周の線速は通常２倍程度異なる。即ち、外周の線速が内周の約２倍速くなる。従って、直線状に配列されたサーマルヘッドにより同じ温度で情報を記録した場合、単純に単位時間に加熱されるエナルギーは外周では内周に比べて約半分になる。その結果、内周と外周との画像品質に差が生じてしまうことになる。そこで本発明では、サーマルヘッドの各発熱体の一方の寸法（光ディスクの半径方向の寸法）を外周から内周に行くに従って短くなるようにして、線速の速い外周により多くの熱エネルギーが供給されるようにして、画像品質のバラツキを補正するものである。
かかる発明によれば、記録手段は複数の発熱体を直線状に配列するサーマルヘッドであり、このサーマルヘッドの各発熱体の一方の寸法を光ディスクの外周から内周に向かって段階的に短くなるように構成しているので、外周と内周の画像品質のバラツキを補正することができる。
【０００５】
請求項２は、光ディスクのラベルに所定の情報を記録するラベル印刷機能を備えた光ディスク装置であって、前記光ディスクを所定の回転速度で回転させる回転手段と、前記光ディスクのラベルに情報を記録する記録手段と、該記録手段と前記光ディスクを所定の接触圧で保持する押えローラと、を備え、前記記録手段は複数の発熱体を直線状に配列するサーマルヘッドであり、記録時に同時駆動する発熱体の数が前記光ディスクの外周から内周に向かって段階的に少なくなるようにしたことを特徴とする。
請求項１ではサーマルヘッドの発熱体の形状そのものを外周から内周に亘って段階的に変化させたが、本発明では、発熱体の形状は全て同じにして、記録時に同時駆動する発熱体数を変化させるものである。即ち、外周では駆動する発熱体の間数を多くして、内周に行くに従って駆動する発熱体の数を段階的に少なくするものである。これにより、請求項１と等価な作用を奏し、且つ汎用的なサーマルヘッドを使用することが可能となる。
かかる発明によれば、記録手段は複数の発熱体を直線状に配列するサーマルヘッドであり、記録時に同時駆動する発熱体の数が光ディスクの外周から内周に向かって段階的に少なくなるようにしたので、汎用的なサーマルヘッドを使用することが可能となり、装置のコストを安価にすることができる。
請求項３は、光ディスクのラベルに所定の情報を記録するラベル印刷機能を備えた光ディスク装置であって、前記光ディスクを所定の回転速度で回転させる回転手段と、前記光ディスクのラベルに情報を記録する記録手段と、該記録手段と前記光ディスクを所定の接触圧で保持する押えローラと、を備え、前記記録手段は複数の発熱体を直線状に配列するサーマルヘッドであり、該サーマルヘッドと前記光ディスクとの間隔が前記光ディスクの外周から内周に向かって大きくなるように構成していることを特徴とする。
サーマルヘッドと光ディスクは密着性が高いほど少ないエネルギーでラベルに記録することができる。即ち、サーマルヘッドと光ディスクの密着性（間隔）によりエネルギーが大きく異なる。そこで本発明では、この性質を利用して光ディスクの外周と内周におけるサーマルヘッドと光ディスクの密着性を変えるために、サーマルヘッドと光ディスクとの間隔を光ディスクの外周から内周に向かって大きくなるように構成するものである。
かかる発明によれば、サーマルヘッドと光ディスクとの間隔を光ディスクの外周から内周に向かって大きくなるように構成しているので、光ディスクの外周と内周におけるサーマルヘッドと光ディスクの密着性が変化して、汎用的なサーマルヘッドを使用しても画像品質を補正することが可能となり、且つ装置のコストを安価にすることができる。
【０００６】
請求項４は、光ディスクのラベルに所定の情報を記録するラベル印刷機能を備えた光ディスク装置であって、前記光ディスクを所定の回転速度で回転させる回転手段と、前記光ディスクのラベルに情報を記録する記録手段と、該記録手段と前記光ディスクを所定の接触圧で保持する押えローラと、を備え、前記記録手段は、複数の発熱体を直線状に配列するサーマルヘッドであり、該サーマルヘッドと前記光ディスクとの押圧力が前記光ディスクの外周から内周に向かって低くなるようにしたことを特徴とする。
サーマルヘッドと光ディスクとの押圧が高いほど少ないエネルギーでラベルに記録することができる。即ち、サーマルヘッドと光ディスクの押圧によりエネルギーが大きく異なる。そこで本発明では、この性質を利用して光ディスクの外周と内周におけるサーマルヘッドと光ディスクの押圧を、光ディスクの外周から内周に向かって低くなるように構成するものである。
かかる発明によれば、サーマルヘッドと光ディスクとの押圧を光ディスクの外周から内周に向かって低くなるように構成しているので、光ディスクの外周と内周におけるサーマルヘッドと光ディスクとの押圧が変化して、汎用的なサーマルヘッドを使用しても画像品質を補正することが可能となり、且つ装置のコストを安価にすることができる。
請求項５は、光ディスクのラベルに所定の情報を記録するラベル印刷機能を備えた光ディスク装置であって、前記光ディスクを所定の回転速度で回転させる回転手段と、前記光ディスクのラベルに情報を記録する記録手段と、該記録手段と前記光ディスクを所定の接触圧で保持する押えローラと、を備え、前記記録手段は、複数の発熱体を直線状に配列するサーマルヘッドであり、前記各発熱体と前記光ディスクとの接触面積が前記光ディスクの外周から内周に向かって段階的に小さくなるようにしたことを特徴とする。
請求項１により発熱体の寸法を内周に行くに従って小さくしたが、これは言い換えると発熱体の接触面積を変化させたものである。そこで本発明では、例えば各発熱体の先端の断面を半径が異なる半円状の形状に加工して、光ディスクの外周から内周に向かって半径が小さく（接触面積が小さく）なるようにして、一定押圧で光ディスクとの接触面積を変えるものである。
かかる発明によれば、サーマルヘッドの各発熱体と光ディスクとの接触面積を光ディスクの外周から内周に向かって段階的に小さくなるように構成しているので、光ディスクの外周と内周におけるサーマルヘッドと光ディスクとの接触面積が変化して、画像品質を補正することができる。
【０００７】
請求項６は、前記ラベルは、該ラベルに加えられた熱によって前記ラベルの透明度や色調が可逆的に変化し、常温で前記透明度又は色調が少なくとも２種類以上の形態で保持される熱可逆性材料から構成されることを特徴とする。
ラベルを何度も再使用するためには、ラベルに記録した情報を消去したり記録したりできなければならない。また、常温でその状態が安定していることが必要である。それに最適な記録媒体として温度により２つ以上の態様が実現可能で、且つ常温でその態様を安定的に保持する熱可逆性材料がある。この代表的なものとしてＴＣフィルムがある。
かかる発明によれば、ラベルは、このラベルに加えられた熱によってラベルの透明度や色調が可逆的に変化し、常温で透明度又は色調が少なくとも２種類以上の形態で保持される熱可逆性材料から構成されるので、情報の書き換えが可能となり、ラベルとして試用した場合に再使用が可能となる。
請求項７は、前記記録手段は、前記ラベルを半透明状態に移行させるための第１の温度を発熱する記録部と、前記ラベルを透明状態に移行させるための第２の温度を発熱する消去部とを備えたことを特徴とする。
熱可逆性材料の特性は、常温から所定の温度範囲（第２の温度）まで温度を加熱すると透明度が高くなり（消去）その状態から常温に戻してもその状態（透明）を維持する。また常温から前記の温度より更に高い温度範囲（第１の温度）に加熱すると半透明状態となり、そこから常温に戻すと白濁する（記録）。この特性を利用してラベルに情報を記録する時は、記録部を第１の温度を維持しながら情報で変調することにより情報を記録することができる。そして再使用する場合は、消去部を第２の温度に維持してラベルの消去する部分を加熱すればよい。
かかる発明によれば、記録手段は、ラベルを半透明状態に移行するための第１の温度を発熱する記録部と、ラベルを透明状態に移行するための第２の温度を発熱する消去部とを備えたので、温度を制御することにより、ラベルに情報を記録したり、その情報を消去することが繰り返し可能となる。
【発明の効果】
【０００８】
以上記載のごとく請求項１の発明によれば、記録手段は複数の発熱体を直線状に配列するサーマルヘッドであり、このサーマルヘッドの各発熱体の半径方向の寸法を光ディスクの外周から内周に向かって段階的に短くなるように構成しているので、外周と内周の画像品質のバラツキを補正することができる。
また請求項２では、記録手段は複数の発熱体を直線状に配列するサーマルヘッドであり、記録時に同時駆動する発熱体の数が光ディスクの外周から内周に向かって段階的に少なくなるようにしたので、汎用的なサーマルヘッドを使用することが可能となり、装置のコストを安価にすることができる。
また請求項３では、サーマルヘッドと光ディスクとの間隔を光ディスクの外周から内周に向かって大きくなるように構成しているので、光ディスクの外周と内周におけるサーマルヘッドと光ディスクの密着性が変化して、汎用的なサーマルヘッドを使用しても画像品質を補正することが可能となり、且つ装置のコストを安価にすることができる。
また請求項４では、サーマルヘッドと光ディスクとの押圧を光ディスクの外周から内周に向かって低くなるように構成しているので、光ディスクの外周と内周におけるサーマルヘッドと光ディスクとの押圧が変化して、汎用的なサーマルヘッドを使用しても画像品質を補正することが可能となり、且つ装置のコストを安価にすることができる。
また請求項５では、サーマルヘッドの各発熱体と光ディスクとの接触面積を光ディスクの外周から内周に向かって段階的に小さくなるように構成しているので、光ディスクの外周と内周におけるサーマルヘッドと光ディスクとの接触面積が変化して、画像品質を補正することができる。
また請求項６では、ラベルは、このラベルに加えられた熱によってラベルの透明度や色調が可逆的に変化し、常温で透明度又は色調が少なくとも２種類以上の形態で保持される熱可逆性材料から構成されるので、情報の書き換えが可能となり、ラベルとして試用した場合に再使用が可能となる。
また請求項７では、記録手段は、ラベルを半透明状態に移行するための第１の温度を発熱する記録部と、ラベルを透明状態に移行するための第２の温度を発熱する消去部とを備えたので、温度を制御することにより、ラベルに情報を記録したり、その情報を消去することが繰り返し可能となる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の光ディスク装置の概略ブロック図である。この光ディスク装置１００は、サーマルヘッド３を光ディスク４にセットしたり、離脱させたりする機構部を駆動するサーマルヘッド駆動部１と、サーマルヘッド３に電流を流して発熱体を加熱するサーマルヘッド制御部２と、光ディスク４に貼付されたラベルに情報を記録するサーマルヘッド（記録手段）３と、表面に記録用のラベルを貼付した光ディスク４と、サーマルヘッド３と光ディスク４を所定の接触圧で保持する押えローラ５と、光ディスク４を回転するスピンドルモータ（回転手段）６と、スピンドルモータ６の回転を制御する回転制御系７と、光ディスク４の情報を読み書きするピックアップ８と、ピックアップ８を光ディスク４の半径方向に移動する図示しないシークモータを制御して、フォーカスやトラッキングを制御するモータ／ピックアップ制御系９と、書き込みと読取の信号を処理する信号処理系１０と、上記全ての制御を司るコントローラ１１と、外部のＰＣとのインターフェースを制御する外部インターフェース制御系１２と、外部インターフェース１６を介して光ディスク装置１００を制御するＰＣ１３と、データ処理やラベル面印刷時に受信したデータを一時記憶するバッファＲＡＭ１４と、実行するファームウェアが格納されているフラッシュメモリ１５と、を備えて構成される。
【００１０】
図示は省略するが、光ディスク４にはユーザが希望する情報を記録することが可能なラベルが貼付されているものとする。このラベルは、熱可逆性記録媒体からなるいわゆるＴＣフィルムである。即ち、加えられた熱によってその透明度や色調が可逆的に変化し、常温で透明度又は色調が２種類以上の形態で保持される熱可逆性材料から構成されたフィルムがラベルとして用いられている。より詳細には図７を参照して熱可逆性記録媒体の記録原理について説明する。縦軸にＴＣフィルムの透明度を表し、横軸は加熱温度を表す。本実施形態のラベルの場合、温度Ｔ０（Ａ）、Ｔ１（Ｂ）、Ｔ２（Ｃ）、Ｔ３（Ｄ）の温度に加熱すると透明度が大（Ｅのポイント）となり、その後、温度をＴ３（Ｄ）、Ｔ２（Ｃ）、Ｔ０（Ｅ）以下の常温に戻っても透明状態が大に維持される。また、温度Ｔ０（Ａ）、Ｔ１（Ｂ）、Ｔ２（Ｃ）、Ｔ３（Ｄ）、Ｔ４（Ｆ）以上に加熱すると半透明状態になり、その後、Ｔ４（Ｆ）、ポイントＧ、Ｔ０（Ａ）以下の常温に戻ると白濁する。このような現象が生ずるのは、ラベルを構成する樹脂母材中に分散した有機低分子物質の粒子と樹脂母材とが隙間なく密着し、かつ、有機低分子物質の粒子部内にも空隙がない状態において、片側から入射した光は散乱することなく反対側に透過するためにラベルが透明に見え、これに対し、有機低分子物質の粒子の微細な結晶が集合して多結晶で構成されると、結晶の界面もしくは粒子と樹脂母材との界面に隙間が生じ、片側から入射した光が空隙と結晶、結晶と樹脂の界面で屈折・反射して散乱するためにラベルが白く見えるためである。
もっとも、ラベルとしては、透明状態と白濁状態との２態様に変化してその状態が保持される本実施形態のラベルに限らず、色調が２態様以上に変化してその状態が保持される各種の熱可逆性記録媒体を選択的に用いることが可能である。つまり、第１の温度に加熱されると第１の状態となって第２の温度に加熱されると第１の状態とは異なる第２の状態となる媒体であれば、ラベルとして用いることが可能である。
【００１１】
図２は本発明の第１の実施形態のサーマルヘッド３の発熱体の形状を表す図である。図では発熱体ａが外周側にあり、発熱体ｆが内周側に配列されているものとする。本実施形態では円周方向の発熱体幅Ｆは全ての発熱体で同じである。そして半径方向の発熱体形状が段階的に内周側に行くに従って幅が小さくなっている。例えば内周側の発熱体ｆの幅がＤで、外周側の発熱体ａの幅がＥの場合、外周側寸法Ｅ＞内周側寸法Ｄとなっている。これは、製造時に発熱体を型により製造することで容易に実現することができる。
このように半径方向の発熱体形状を段階的に内周側に行くに従って幅を小さくする理由は、一般に光ディスクの外周と内周の線速は２倍位異なる。即ち、外周の線速は内周の線速の約２倍速くなる。従って、直線状に配列されたサーマルヘッド３により同じ温度でラベルに情報を記録した場合、単純に単位時間に加熱されるラベルのエナルギーは、外周では内周に比べて約半分になる。その結果、内周と外周との画像品質に差が生じてしまうことになる。そこで本実施形態では、サーマルヘッド３の各発熱体ａ〜ｆの半径方向の寸法を外周から内周に行くに従って短くなるようにして、線速の速い外周の発熱体ａには、より多くの熱エネルギーが供給されるようにして、画像品質のバラツキを補正するものである。
図３は本発明の第２の実施形態のサーマルヘッド３の駆動方法を説明する図である。図１と同じ構成要素には同じ参照番号を付して説明する。本実施形態は、サーマルヘッド２２を複数の発熱体単位にグループ分けし、例えば、外周側のグループからａ、ｂ、ｃ、・・・、ｄ、ｅとして、最内周のグループをｅとする。そしてサーマルヘッド制御部２により制御される配線２１の数を外周側と内周側で異なる数にする。即ち、外周側のグループからａ、ｂ、ｃに接続する配線の数を多くして内周側のｄ、ｅに行くほど少なくすることにより、外周側では発熱する発熱体の数は多いが、内周側の発熱する発熱体の数は少なくなる。
前述の第１の実施形態ではサーマルヘッド３の発熱体の形状そのものを外周から内周に亘って段階的に変化させたが、本実施形態では、発熱体の形状は全て同じにして、発熱体を駆動する数を変化させるものである。即ち、外周では駆動する発熱体の数を多くし、内周に行くに従って駆動する発熱体の駆動数を段階的に少なくするものである。これにより、外周側では発熱するエネルギーが多くなり内周に行くに従ってエネルギーが少なくなる。さらにこの実施形態では汎用的なサーマルヘッドを使用することが可能となる。
【００１２】
図４は本発明の第３の実施形態のサーマルヘッド２３の発熱体の形状を表す図である。図１と同じ構成要素には同じ参照番号を付して説明する。（ａ）は発熱体を上から見た図であり、（ｂ）は発熱体を矢印の方向に切断した断面図である。本実施形態は各発熱体の円周方向の寸法Ｆ、及び半径方向の寸法Ａを同じにし、先端の形状を外周と内周で異なるようにすることにより、光ディスク４との接触面積を外周側で大きく内周に行くに従って小さくするものである。例えば、図４（ｂ）のように外周側の発熱体ａはその断面を半径無限大の形状にすることにより接触面積を最大にしている。そして内周に行くに従って発熱体ｃのように先端が半径Ｒ２の円周となり、その先端が光ディスク４に接触する場合、発熱体ａより接触面積が小さくなる。さらに内周側の発熱体ｅの半径Ｒ１は発熱体ｃの半径Ｒ２より小さいので更に光ディスク４との接触面積が小さくなる。
前述の第１の実施形態は発熱体の寸法を内周に行くに従って小さくしたが、これは言い換えると発熱体と光ディスクとの接触面積を変化させたものである。そこで本実施形態では、例えば各発熱体の先端の断面を半径が異なる半円状の形状に加工して、光ディスクの外周から内周に向かって半径が小さく（接触面積が小さく）なるようにして、一定押圧で光ディスクとの接触面積を変えるものである。
図５は本発明の第４の実施形態のサーマルヘッド３と押えローラ５との関係を表す図である。図１と同じ構成要素には同じ参照番号を付して説明する。サーマルヘッド３と光ディスク４は密着性が高いほど少ないエネルギーでラベルに記録することができる。即ち、サーマルヘッド３と光ディスク４の密着性（間隔）によりエネルギーが大きく異なる。そこで本実施形態では、この性質を利用して光ディスク４の外周と内周におけるサーマルヘッド３と光ディスク４の密着性を変えるために、サーマルヘッド３と光ディスク４との間隔を光ディスクの外周から内周に向かって大きくなるように構成するものである。
即ち、図のように外周側の光ディスク４とサーマルヘッド３の間隔をＬ１、中間点をＬ２、内周側をＬ３とすると、Ｌ１＜Ｌ２＜Ｌ３の関係にする。実際はこれらの間隔は非常に微小であり、光ディスク４の反り量から決定される。
【００１３】
図６は本発明の第５の実施形態のサーマルヘッド３と光ディスク４への押圧の関係を表す図である。図１と同じ構成要素には同じ参照番号を付して説明する。
図５の第４の実施形態では、サーマルヘッド３と光ディスク４との間隔を変えていたが、実際的にはその間隔は非常に小さいため制御が難しいといった課題がある。そこで本実施形態では、サーマルヘッド３と光ディスク４との押圧が高いほど少ないエネルギーでラベルに記録することができる性質を利用して、光ディスク４の外周と内周におけるサーマルヘッド３と光ディスク４の押圧を光ディスク４の外周から内周に向かって低くなるように構成するものである。即ち、図のように外周側の光ディスク４とサーマルヘッド３の押圧をＰ１、中間点をＰ２、内周側をＰ３とすると、Ｐ１＞Ｐ２＞Ｐ３の関係にする。
【図面の簡単な説明】
【００１４】
【図１】本発明の光ディスク装置の概略ブロック図である。
【図２】本発明の第１の実施形態のサーマルヘッド３の発熱体の形状を表す図である。
【図３】本発明の第２の実施形態のサーマルヘッド３の駆動方法を説明する図である。
【図４】本発明の第３の実施形態のサーマルヘッド２３の発熱体の形状を表す図である。
【図５】本発明の第４の実施形態のサーマルヘッド３と押えローラ５との関係を表す図である。
【図６】本発明の第５の実施形態のサーマルヘッド３と光ディスク４への押圧の関係を表す図である。
【図７】ＴＣフィルムの温度と透明度の関係を表す図である。
【図８】従来技術のサーマルヘッドの発熱体の形状を示す図である。
【符号の説明】
【００１５】
１  サーマルヘッド駆動部、２  サーマルヘッド制御部、３  サーマルヘッド、４  光ディスク、５  押えローラ、６  スピンドルモータ、７  回転制御系、８  ピックアップ
【図１】
2005267683.tif 000003
【図２】
2005267683.tif 000004
【図３】
2005267683.tif 000005
【図４】
2005267683.tif 000006
【図５】
2005267683.tif 000007
【図６】
2005267683.tif 000008
【図７】
2005267683.tif 000009
【図８】
2005267683.tif 000010